(57)【要約】【課題】作業性の向上と調光レベルの調節精度の低下の抑制とを図ること。【解決手段】照明器具１は、光源と制御部と補正ボリューム１７と筐体４とを備える。筐体４は、第１筒体４１と第２筒体４２とを有する。第１筒体４１は、その第１端に光源の光を出射する出射口を有する。第２筒体４２は、第１筒体４１の第２端において、第１筒体４１に回転可能に取り付けられる。制御部は、第２筒体４２の回転角度に応じて光源の調光レベルを変更し、更に、補正ボリューム１７の操作部１７０の調節位置に応じて第２筒体４２の回転角度と調光レベルとの対応関係を補正する。第２筒体４２は、操作孔１８を有する。第２筒体４２において操作孔１８が設けられている部位は、第２筒体４２の回転角度が所定の回転角度に等しい場合に操作部１７０と対向する部位である。【選択図】図４
2018206556.tif 000002
【特許請求の範囲】
【請求項１】
光源と、
前記光源の調光制御を行う制御部と、
補正ボリュームと、
前記光源、前記制御部及び前記補正ボリュームを収容する円筒形状の筐体と、を備え、
前記筐体は、円筒形状の第１筒体と、円筒形状の第２筒体と、を有し、
前記第１筒体は、その軸方向における第１端に前記光源から発せられた光を出射する出射口を有し、
前記第２筒体は、前記第１筒体の前記第１端とは反対側の第２端において、前記第１筒体の中心軸を回転軸として前記第１筒体に回転可能に取り付けられ、
前記制御部は、前記第２筒体の回転角度に応じて前記光源の調光レベルを変更し、更に、前記補正ボリュームの操作部の調節位置に応じて前記第２筒体の回転角度と前記調光レベルとの対応関係を補正し、
前記第２筒体は、前記補正ボリュームが収容されている前記筐体の内部空間と前記筐体の外部空間とを繋ぐ操作孔を有し、
前記第２筒体において前記操作孔が設けられている部位は、前記第２筒体の回転角度が所定の回転角度に等しい場合に前記操作部と対向する部位である
ことを特徴とする照明器具。
【請求項２】
前記操作孔は、前記軸方向と交差する前記第２筒体の一表面に設けられている
ことを特徴とする請求項１に記載の照明器具。
【請求項３】
前記内部空間において前記補正ボリュームと前記第２筒体との間に配置されて、前記第２筒体の回転範囲を規制する規制プレートを更に備え、
前記規制プレートは、前記操作部と対向する領域において、当該規制プレートの厚み方向に貫通する貫通孔を有し、
前記操作孔は、前記第２筒体の回転角度が前記所定の回転角度に等しい場合に、前記貫通孔及び前記操作部と対向する
ことを特徴とする請求項２に記載の照明器具。
【請求項４】
前記操作孔は、前記第２筒体の外周面に設けられている
ことを特徴とする請求項１に記載の照明器具。
【請求項５】
前記第１筒体は、前記第２端の縁において、前記操作部と対向する部位に補助孔を有し、
前記補助孔は、前記第２筒体から離れる向きに凹み、かつ、前記内部空間と前記外部空間とを繋ぐように形成されていて、
前記操作孔は、前記外周面の縁において、前記第１筒体から離れる向きに凹み、
前記操作孔は、前記第２筒体の回転角度が前記所定の回転角度に等しい場合に、前記軸方向に沿って前記補助孔と繋がる
ことを特徴とする請求項４に記載の照明器具。
【請求項６】
前記筐体の外周面には、前記調光レベルの目安値となる目盛りが前記筐体の前記外周面の周方向に沿って設けられている
ことを特徴とする請求項１〜５のいずれか１項に記載の照明器具。
【請求項７】
前記第２筒体の外径は、前記第１筒体の外径に等しい、又は前記第１筒体の外径よりも大きい
ことを特徴とする請求項１〜６のいずれか１項に記載の照明器具。
【請求項８】
前記出射口に取り付けられて、前記光源の配光を制御する光学レンズを更に備え、
前記第２筒体の外径は、前記第１筒体の外径よりも小さく、かつ、前記光学レンズの直径よりも大きい
ことを特徴とする請求項１〜６のいずれか１項に記載の照明器具。
【発明の詳細な説明】
【技術分野】
【０００１】
本発明は、一般に照明器具に関し、より詳細には、光源の調光レベルを変更可能な照明器具に関する。
【背景技術】
【０００２】
従来例として、特許文献１記載の調光器付スポットライト（照明器具）を例示する。この従来例では、調光装置を内蔵した調光ボックスが、スポットライトの灯体に取り付けられた自在金具と、天井等に取り付ける取付金具との間に設けられている。また、調光ボックスには、調光用つまみが設けられていて、調光用つまみを回転させることで光源の調光状態を調節できるようにしている。
【先行技術文献】
【特許文献】
【０００３】
【特許文献１】特開昭５９−１１９６０７号公報
【発明の概要】
【発明が解決しようとする課題】
【０００４】
ところで、例えば、つまみと一体となって回転するボリューム（可変抵抗器）の劣化等に伴い、つまみの回転角度と光源の調光状態（調光レベル）との対応関係にずれが生じることがある。すなわち、つまみが製造時では１０［％］の調光レベルに対応していた回転位置に回されたとしても、実際の光源は、２０［％］の調光レベルで点灯してしまうことがある。しかしながら、特許文献１記載の従来例は、そのようなずれを解消するための補正機能を有していなかった。
【０００５】
また、調光用つまみとは別に、そのような補正機能を有した補正用つまみを調光ボックスに設けることも考えられる。しかしながら、調光用つまみを用いて調光レベルを調節する作業者が、調光用つまみと誤って補正用つまみを操作してしまう可能性があった。
【０００６】
本発明は上記事由に鑑みてなされ、作業性の向上と調光レベルの調節精度の低下の抑制とを図ることができる照明器具を提供することを目的とする。
【課題を解決するための手段】
【０００７】
本発明の一態様に係る照明器具は、光源と、前記光源の調光制御を行う制御部と、補正ボリュームと、円筒形状の筐体と、を備える。前記筐体は、前記光源、前記制御部及び前記補正ボリュームを収容する。前記筐体は、円筒形状の第１筒体と、円筒形状の第２筒体と、を有する。前記第１筒体は、その軸方向における第１端に前記光源から発せられた光を出射する出射口を有する。前記第２筒体は、前記第１筒体の前記第１端とは反対側の第２端において、前記第１筒体の中心軸を回転軸として前記第１筒体に回転可能に取り付けられる。前記制御部は、前記第２筒体の回転角度に応じて前記光源の調光レベルを変更し、更に、前記補正ボリュームの操作部の調節位置に応じて前記第２筒体の回転角度と前記調光レベルとの対応関係を補正する。前記第２筒体は、前記補正ボリュームが収容されている前記筐体の内部空間と前記筐体の外部空間とを繋ぐ操作孔を有する。前記第２筒体において前記操作孔が設けられている部位は、前記第２筒体の回転角度が所定の回転角度に等しい場合に前記操作部と対向する部位である。
【発明の効果】
【０００８】
本発明は、作業性の向上と調光レベルの調節精度の低下の抑制とを図ることができる、という利点がある。
【図面の簡単な説明】
【０００９】
【図１】図１は、本発明の一実施形態に係る照明器具の後方から見た部分断面を含む斜視図である。
【図２】図２は、同上の照明器具が配線ダクトに取り付けられた状態における斜視図である。
【図３】図３は、同上の照明器具における模式的な回路ブロック図である。
【図４】図４は、同上の照明器具における要部の分解斜視図である。
【図５】図５は、同上の照明器具における第２筒体の裏側から見た斜視図である。
【図６】図６は、同上の照明器具における要部の平面図である。
【図７】図７は、同上の照明器具の要部を示し、図６のＡ−Ａ線断面図である。
【図８】図８は、同上の照明器具の運搬時又は保管時の状態における平面図である。
【図９】図９Ａは、同上の照明器具の操作孔と貫通孔とが合致していない状態における背面図である。図９Ｂは、同上の照明器具の操作孔と貫通孔が合致した状態における背面図である。
【図１０】図１０Ａは、同上の照明器具の変形例における要部の平面図である。図１０Ｂは、同上の変形例における要部の平面図である。図１０Ｃは、同上の変形例における要部の側面図である。
【発明を実施するための形態】
【００１０】
（１）概要
以下の実施形態は、本発明の様々な実施形態の一つに過ぎない。以下の実施形態は、本発明の目的を達成できれば、設計等に応じて種々の変更が可能である。
【００１１】
本実施形態の照明器具１は、一例として、図２に示すように配線ダクト１３に取り付けられるスポットライトとして構成されている。照明器具１は、図１に示すように、光源２と、光源２の調光制御を行う制御部３４（図３参照）と、円筒形状の筐体４と、を備えている。更に、照明器具１は、図３及び図４に示すように、補正ボリューム１７を備えている。筐体４は、光源２、制御部３４及び補正ボリューム１７を収容する。
【００１２】
筐体４は、図１及び図２に示すように、円筒形状の第１筒体４１と、円筒形状の第２筒体４２と、を有している。第１筒体４１は、その軸方向（図１では前後方向）における第１端（図１では前端）に光源２から発せられた光を出射する出射口４１０を有している。第２筒体４２は、第１筒体４１の第１端とは反対側の第２端（図１では後端）において、第１筒体４１の中心軸Ａ１を回転軸として第１筒体４１に回転可能に取り付けられている。
【００１３】
本実施形態では、第１筒体４１の中心軸Ａ１は、第２筒体４２の中心軸と一致している。すなわち、第１筒体４１と第２筒体４２とは互いの中心軸が一致するように組み付けられて、１つの円筒形状の筐体４を構成している。ここで言う「円筒形状」は、厳密な円筒形に限定されず、例えば、第１筒体４１又は第２筒体４２の外周面の一部が僅かに窪んでいてもよい。本実施形態では、第２筒体４２の外径は、図１及び図２に示すように、一例として第１筒体４１の外径と実質的に等しくなるように設定されている。
【００１４】
制御部３４は、第２筒体４２の回転角度に応じて光源２の調光レベルを変更するように構成されている。更に、制御部３４は、補正ボリューム１７の操作部１７０の調節位置に応じて第２筒体４２の回転角度と調光レベルとの対応関係を補正するように構成されている。本実施形態では、第２筒体４２が、光源２の調光状態（調光レベル）を調節する作業者の操作を受け付ける操作部である。本実施形態の補正ボリューム１７は、一例として、ロータリーボリュームであるため、操作部１７０の上記調節位置は、回転位置（回転角度）である。しかし、補正ボリューム１７は、ロータリーボリューム以外にも、スライドボリュームであってもよい。
【００１５】
以下では、説明の便宜上、第２筒体４２を回して光源２の調光レベルを調節する作業を「第１作業」と呼び、第１作業を行う者を「第１作業者」と呼ぶ。一方、補正ボリューム１７の操作部１７０を回して上記対応関係に生じたずれを解消するための作業を「第２作業」と呼び、第２作業を行う者を「第２作業者」と呼ぶ。説明するまでもなく、第１作業者（又は第２作業者）が、第１作業及び第２作業の両方を行うこともある。
【００１６】
ここで、第２筒体４２は、図１〜図２、図４〜図５、図９Ａ及び９Ｂに示すように、操作孔１８を有している。操作孔１８は、補正ボリューム１７が収容されている筐体４の内部空間と筐体４の外部空間とを繋ぐ孔である。第２筒体４２において操作孔１８が設けられている部位は、第２筒体４２の回転角度が所定の回転角度に等しい場合に操作部１７０と対向する部位である（図９Ｂ参照）。
【００１７】
この構成によれば、補正ボリューム１７が筐体４内に収容されていて、操作孔１８は、第２筒体４２の回転角度が所定の回転角度に等しい場合に、補正ボリューム１７の操作部１７０と対向する。そのため、第２作業者は、第２筒体４２が所定の回転角度となるように第２筒体４２を回転させて、ドライバ等の工具の先端を操作孔１８から挿入し、補正ボリューム１７の操作部１７０を回すことで、第２作業を行うことができる。したがって、上記対応関係にずれが生じても当該ずれの解消を図ることができる。
【００１８】
また、操作部１７０又は（操作部１７０を回すための）つまみが筐体４の外周面４Ａから突出して設けられている場合に比べて、第１作業者が、第１作業を行う際に、誤って操作部１７０又はつまみを操作してしまう可能性を低減することができる。特に、第２筒体４２が所定の回転角度以外の回転角度にあるとき、補正ボリューム１７の操作部１７０を操作することができないため、安易に補正ボリューム１７が操作されてしまう可能性を低減することができる。また、操作部１７０又はつまみが筐体４の外周面４Ａから突出して設けられている場合に比べて、照明器具１全体としての意匠性（見栄え）の向上も図ることができる。
【００１９】
したがって、本実施形態の照明器具１は、作業性の向上と調光レベルの調節精度の低下の抑制とを図ることができる。
【００２０】
（２）詳細
（２．１）全体構成
以下、本実施形態の照明器具１について、図１〜図９Ｂを参照して詳しく説明する。以下では、特に断りの無い限り、照明器具１の上下、左右、前後の方向を、図１に図示されている上下、左右、前後の矢印を用いて規定して説明する。これらの矢印は、単に説明を補助する目的で記載しているに過ぎず、実体を伴わない。また、上記の方向の規定は、本実施形態の照明器具１の使用形態を限定する趣旨ではない。
【００２１】
照明器具１は、図１に示すように、光源２、点灯装置３（図３参照）、及び筐体４と、を備えている。また、照明器具１は、図３〜図４及び図７に示すように、調光ボリューム（可変抵抗器）６、及び補正ボリューム（可変抵抗器）１７を、更に備えている。また、照明器具１は、図１に示すように、光学レンズ８、反射部材９、グレア抑制用のバッフル１０、アーム１１、及び落下防止用のワイヤー１２、プラグ１４等を、更に備えている。照明器具１は、図２に示すように、一例として美術館、博物館等の建物内における天井に設けられた配線ダクト１３に取り付けられるスポットライトとして構成されている。
【００２２】
（２．２）光源
光源２は、例えば、少なくとも１つのＬＥＤ（Light Emitting Diode）チップ、ＬＥＤチップが実装された矩形板状の実装基板、及び、これらを支持するホルダを有している。また、光源２は、例えば、ＬＥＤチップ等から発せられる熱を伝導させる熱伝導シート、及び放熱部材等を有している。
【００２３】
ＬＥＤチップは、例えば、青色光を放射する青色発光ダイオードである。また、ＬＥＤチップが実装されている実装基板の実装面は、ＬＥＤチップから放射される青色光を波長変換する蛍光物質（例えば黄色蛍光体）が混入された封止樹脂で封止されている。矩形板状の実装基板の実装面における対角の位置にある一対の角部には、カソード電極とアノード電極が形成されている。光源２は、点灯装置３から出力される直流電圧がアノード電極とカソード電極に印加されることにより、白色の照明光を放射するように構成される。
【００２４】
（２．３）筐体
（２．３．１）筐体の全体構成
筐体４は、図１及び図２に示すように、全体として円筒形状に形成されている。筐体４は、長尺の円筒形状に形成された第１筒体４１と、扁平な円筒形状に形成された第２筒体４２と、を有している。第１筒体４１の中心軸Ａ１は、第２筒体４２の中心軸と一致している。すなわち、第１筒体４１と第２筒体４２とは互いの中心軸が一致するように組み付けられて、１つの円筒形状の筐体４を構成している。
【００２５】
（２．３．２）第１筒体
第１筒体４１は、その軸方向における第１端（図１では前端）に出射口４１０を有している。第１筒体４１の第１端とは反対側の第２端（図１では後端）において、第２筒体４２が回転可能に取り付けられている。第１筒体４１は、例えばアルミダイカストによってそれぞれ形成された円筒形状の２部材（光源収容部４１１及び電源収容部４１２）が軸方向に沿って互いに組み付けられることで構成されている。光源収容部４１１の内周面には、ねじ孔を有した複数のリブが形成されていて、電源収容部４１２の内周面には貫通孔を有した複数のリブが形成されている。光源収容部４１１の一部（図１では後端部）が電源収容部４１２の開口から挿入された状態で、電源収容部４１２の貫通孔にねじを通し、更に、光源収容部４１１のねじ孔にねじ込むことで、光源収容部４１１及び電源収容部４１２が互いに連結されている。
【００２６】
光源収容部４１１は、その軸方向の一端（図１では前端）が開放された有底円筒形状に形成されていて、軸方向において、電源収容部４１２の長さ寸法の約半分程度の寸法を有している。光源収容部４１１は、光源２を内部に収容し、開放された一端にある出射口４１０から光源２から発せられた光を出射する。具体的には、光源収容部４１１は、出射口４１０と対向した底部４１１Ａ（図１参照）の一表面において、光源２のＬＥＤチップ及び実装基板を支持するホルダが嵌め込まれるための凹所を有している。光源２のホルダは、ねじ止め等により底部４１１Ａに固定されている。
【００２７】
また、光源収容部４１１は、図１に示すように、光学レンズ８、反射部材９及びバッフル１０を収容している。光源収容部４１１内では、光源２から出射口４１０にわたって、反射部材９、光学レンズ８、バッフル１０が光軸Ｌ１に沿って順に配置されている。光軸Ｌ１は、第１筒体４１の中心軸Ａ１と一致している。光源収容部４１１の内周面には、反射部材９及びバッフル１０の外周面に設けられた突起が嵌まるための凹部が周方向に沿って形成されている。
【００２８】
電源収容部４１２は、その軸方向の両端が開放された円筒形状に形成されている。電源収容部４１２は、その軸方向における一端側（図１では前端側）において、光源収容部４１１に連結され、軸方向における他端側（図１では後端側）において、第２筒体４２が回転可能に取り付けられている。
【００２９】
電源収容部４１２は、点灯装置３、調光ボリューム６及び補正ボリューム１７を内部に収容している。具体的には、電源収容部４１２は、図１に示すように、点灯装置３の後述する種々の回路を構成する複数の電子部品３００が実装されて軸方向に細長く延びている略矩形板状の回路基板３０１と、回路基板３０１を保持する金属製の保持板３０２とを収容している。保持板３０２は、光源収容部４１１の底部４１１Ａにねじ止めにより固定されている。光源収容部４１１の底部４１１Ａは、厚み方向に貫通している孔を有していて、点灯装置３の出力端に接続されている電線３０３は、図１に示すように、当該孔を通って光源２と電気的に接続されている。
【００３０】
電源収容部４１２は、図７に示すように、調光ボリューム６及び補正ボリューム１７が一表面（第２筒体４２と対向する面）に実装されたボリューム基板６０を収容している。ボリューム基板６０は、絶縁シート等を間に介して保持板３０２にねじ６１により固定されている。調光ボリューム６及び補正ボリューム１７は、点灯装置３（の後述する制御部３４）と電気的に接続されている。
【００３１】
調光ボリューム６は、その軸部６２の中心軸が第１筒体４１の中心軸Ａ１を通るように、ボリューム基板６０の実装面（上記一表面）の中央に配置されている。一方、補正ボリューム１７は、調光ボリューム６を避けて、ボリューム基板６０の縁部近傍に配置されている。具体的には、補正ボリューム１７は、一例として、第１筒体４１の軸方向から見たときに、第１筒体４１の径方向において、調光ボリューム６と（後述する）目盛り５の「１」が表記されている目盛線とを結ぶ直線上に配置されている。要するに、補正ボリューム１７は、第１筒体４１の軸方向から見たときに、調光ボリューム６の右斜め上に配置されている。
【００３２】
また、電源収容部４１２は、図４及び図７に示すように、規制プレート６３を収容している。規制プレート６３は、金属材により略円板状に形成されている。規制プレート６３は、調光ボリューム６及び補正ボリューム１７が収容されている筐体４の内部空間において、ボリューム基板６０と第２筒体４２との間に配置されるように収容されている。規制プレート６３は、第２筒体４２の回転範囲を規制するための部材である。電源収容部４１２の内周面には、ねじ孔を有した２つのリブが設けられていて、規制プレート６３は、当該２つのリブに対してそれぞれ２本のねじ６４（図４参照）により固定されている。
【００３３】
規制プレート６３は、図４に示すように、調光ボリューム６の軸部６２を挿通するための正方形状の窓孔６５を中央に有している。規制プレート６３は、その一部を第２筒体４２に近づく方向に切り起こすことで形成された一対のストッパー６６を有している。各ストッパー６６は、矩形板状に形成されている。一対のストッパー６６は、第２筒体４２の後述する突起片４２４と接触することで、第２筒体４２の回転可能な角度範囲を所定の範囲内（例えば２５０°の範囲内）に規制する。また、規制プレート６３とボリューム基板６０との間には、絶縁シート６７（図４参照）が配置されている。絶縁シート６７は、その中央に円形状の貫通孔６７０を有している。調光ボリューム６の軸部６２は、貫通孔６７０を通り、更に規制プレート６３の窓孔６５を通って第２筒体４２に向かって突出している。
【００３４】
また、規制プレート６３は、図４に示すように、補正ボリューム１７の操作部１７０と対向する領域において、規制プレート６３の厚み方向に貫通する貫通孔１９を有している。規制プレート６３の厚み方向は、第１筒体４１の軸方向に平行である。
【００３５】
ところで、補正ボリューム１７は、調光ボリューム６とは異なり、所謂半固定タイプの可変抵抗器である。すなわち、補正ボリューム１７は、調光ボリューム６とは異なり、頻繁に操作されるボリュームではない。したがって、補正ボリューム１７は、ボリューム基板６０の実装面に対して垂直に延びる軸部（シャフト）を有しておらず、操作部１７０は、一例として、十字穴を有している。十字穴は、貫通孔１９から離れる向きに窪んでいる。第２作業者は、操作部１７０の十字穴に対して、ドライバ等の工具の先端を挿入して、操作部１７０を回すことで、補正ボリューム１７の回転角度を変えることができる。ただし、補正ボリューム１７は、調光ボリューム６と同様に軸部を有していてもよい。この場合、軸部の先端に、例えばマイナスドライバ等の工具の先端を挿入可能な溝が設けられていることが望ましい。
【００３６】
電源収容部４１２は、図１及び図２に示すように、アーム１１の一対の支持部１１０Ａ，１１０Ｂの先端部分がそれぞれ取り付けられる一対の取付部４３を有している。各取付部４３は、電源収容部４１２の内部に繋がる貫通孔４３０（図１参照）を有している。一対の取付部４３は、電源収容部４１２の外周面４１２Ａにおいて、左右方向における両端の領域にそれぞれ配置されている。各取付部４３は、左右方向から見たときに、中心軸Ａ１に沿った方向（図１では前後方向）における電源収容部４１２の略中央にある。また、各取付部４３は、左右方向から見たときに、中心軸Ａ１と左右方向とに直交する方向（図１では上下方向）における電源収容部４１２の略中央にある。電源収容部４１２は、一対の取付部４３を介してアーム１１によって軸Ｌ２（図１参照）を回転軸として回転可能に支持されている。図１では、軸Ｌ２は、左右方向に平行である。
【００３７】
ここで、筐体４の外周面４Ａには、図１、図２及び図６に示すように、光源２の調光レベルの目安値となる目盛り５が設けられている。本実施形態では、一例として、目盛り５は、第１筒体４１の外周面、すなわち、電源収容部４１２の外周面４１２Ａにおいて、周方向Ｄ１に沿って設けられている。目盛り５は、外周面４１２Ａにおける第２筒体４２に隣接した領域に配置されている。
【００３８】
目盛り５は、印刷等の手段によって形成されている。あるいは、予め目盛り５が印刷されているシールが外周面４１２Ａに張り付けられてもよい。また、目盛り５は、外周面４１２Ａにエッチングにより凹凸を形成して凹部に塗料を流し込んで形成されてもよい。
【００３９】
目盛り５は、電源収容部４１２の外周面４１２Ａにおける第２筒体４２に隣接した周方向Ｄ１に沿う領域のうち、第１領域Ｂ１（図６参照）に設けられている。ただし、目盛り５は、外周面４１２Ａにおける第２筒体４２に隣接した周方向Ｄ１に沿う領域のうち、第１領域Ｂ１以外の領域である第２領域Ｂ２（図６参照）には設けられていない。
【００４０】
目盛り５は、図６に示すように、「●ＯＦＦ」の黒塗りの丸印が表記されている位置（以下、単に「ＯＦＦ」と呼ぶ）を始点とし、「ＯＦＦ」から僅かに距離を空けて複数の目盛線が連続的に表記されている。目盛り５における隣り合う２本の目盛線の目幅が、調光レベルの１［％］分に相当する。調光レベル１０［％］ごとの目盛線の下（図１では目盛線の前）に数値（「１」〜「１０」までの数値）が記されている。例えば、数値「２」の記された目盛線は、調光レベル２０［％］に相当する目安値となる。目盛り５は、図６に示すように、「１０」が表記されている目盛線を終点としている。要するに、目盛り５は、「ＯＦＦ」の位置から始まり調光レベルの下限値である５［％］から調光レベルの上限値である１００［％］までの目安値を示している。
【００４１】
ここで、第１領域Ｂ１及び第２領域Ｂ２は、中心軸Ａ１に沿った方向（図１では前後方向）から見て、軸Ｌ２を回転軸とした筐体４の回転方向Ｃ１（図１参照）に沿って向かい合うように配置されている。要するに、配線ダクト１３に取り付けられる照明器具１の筐体４を、第１領域Ｂ１が概ね鉛直下方向を向くように、アーム１１に対して回転させることができる。この時、目盛り５が配されていない第２領域Ｂ２は、概ね鉛直上方向（つまり天井側）を向くことになる。そのため、第１作業者は、配線ダクト１３に取り付けられる照明器具１を下から見上げたときに、第１領域Ｂ１における目盛り５を容易に視認することができる。なお、図６において、第１領域Ｂ１及び第２領域Ｂ２を示す点線は、説明を分かり易くするために図示されているものであって、実体を伴うものではない。
【００４２】
また、電源収容部４１２は、図４及び図７に示すように、その内周面において、周方向Ｄ１に沿って延びているガイド溝４１３を有している。ガイド溝４１３は、電源収容部４１２の内周面における第２筒体４２に隣接した領域に形成されている。つまり、ガイド溝４１３は、概ね第１領域Ｂ１及び第２領域Ｂ２の裏側の領域に形成されている。ガイド溝４１３は、後述する第２筒体４２の４つの爪部４２１が嵌め込まれるための溝である。
【００４３】
（２．３．３）第２筒体
第２筒体４２は、図１、図２、図４〜図８に示すように、その軸方向（図１では前後方向）における一面（図１では前面）が開放された扁平な円筒形状に形成されている。第２筒体４２の外径は、一例として第１筒体４１の外径と実質的に等しくなるように設定されている。また、第２筒体４２は、一例としてその軸方向における寸法が第１筒体４１の軸方向における寸法に比べて十分に小さくなるように設定されている。第２筒体４２は、例えばＰＢＴ（Polybutylene terephthalate）樹脂により形成されている。第２筒体４２は、第１筒体４１の中心軸Ａ１を回転軸として第１筒体４１に対して回転可能に取り付けられている。
【００４４】
第２筒体４２は、図２及び図６に示すように、その外周面４２Ａに、指示線４２０を有している。指示線４２０は、例えば、細長い溝を設けてその溝内に塗料を流し込んで形成されている。
【００４５】
第２筒体４２は、図５に示すように、開放された一面側の周縁において、４つの爪部４２１を有している。４つの爪部４２１は、第２筒体４２の周方向に沿って等間隔に配置されている。各爪部４２１の先端は、第２筒体４２の径方向に沿って軸から離れる向きに突出している。４つの爪部４２１は、電源収容部４１２のガイド溝４１３に対して周方向Ｄ１に沿ってスライド移動可能に嵌め込まれている。つまり、各爪部４２１の突出する先端の前後方向における寸法は、ガイド溝４１３の前後方向における幅寸法よりも僅かに小さく設定されている。更に、各爪部４２１の突出する先端は、第２筒体４２の軸方向から見て、周方向Ｄ１と平行するように円弧状に湾曲している。
【００４６】
このように、４つの爪部４２１がガイド溝４１３にスライド移動可能に嵌め込まれていることで、中心軸Ａ１を回転軸として、第１筒体４１に対して第２筒体４２を滑らかに回転させることができ、第２筒体４２に対する操作性の向上を図ることができる。また、４つの爪部４２１が等間隔に設けられているため、爪部４２１の数が例えば１つ又は２つの場合に比べて、第１筒体４１に対する第２筒体４２のより安定した回転操作を提供することができる。また、第１筒体４１に対する第２筒体４２の脱落をより低減することができる。
【００４７】
第２筒体４２は、図５に示すように、その内底面の中心部において、軸固定部４２２を更に有している。軸固定部４２２は、調光ボリューム６の軸部６２を受けるための部材である。軸固定部４２２は、内底面から筒状に突出し、その先端に、軸固定部４２２の軸方向から見て略Ｄ字形状に窪んだ穴を有している。調光ボリューム６のＤ字状にカットされた軸部６２が、軸固定部４２２のＤ字形状の穴内に嵌め込まれることで、第２筒体４２が軸部６２に固定されている。したがって、第２筒体４２の回転に伴い、軸固定部４２２に嵌め込まれている調光ボリューム６の軸部６２も回転する。
【００４８】
更に、第２筒体４２は、その内底面において、軸固定部４２２を補強する補強リブ４２３の外側に、突起片４２４を有している。突起片４２４は、略台形の板状に形成されている。突起片４２４は、第１筒体４１に近づく方向に突出している。突起片４２４は、第２筒体４２が回転操作を受けたときに、規制プレート６３の一対のストッパー６６の一方に接触することで、第２筒体４２の更なる回転が規制される。言い換えると、指示線４２０が目盛り５の「ＯＦＦ」と対向する位置にあるときに、突起片４２４が一方のストッパー６６と接触するように、突起片４２４及びストッパー６６の位置関係が規定されている。また、指示線４２０が目盛り５の数値「１０」が記された目盛線と対向する位置にあるときに、突起片４２４が他方のストッパー６６と接触するように、突起片４２４及びストッパー６６の位置関係が規定されている。
【００４９】
ここで、第２筒体４２は、補正ボリューム１７が収容されている筐体４の内部空間と筐体４の外部空間とを繋ぐ操作孔１８を有している。操作孔１８は、第１筒体４１の軸方向と交差する第２筒体４２の一表面４２Ｂに設けられている。本実施形態では、一表面４２Ｂは、第２筒体４２の底部の平坦な後面に相当し、第１筒体４１の軸方向と概ね直交している。操作孔１８は、第２筒体４２の底部をその厚み方向に貫通している。
【００５０】
第２筒体４２において操作孔１８が設けられている部位は、第２筒体４２の回転角度が所定の回転角度（回転位置）に等しい場合に操作部１７０と対向する部位である。したがって、操作孔１８は、第２筒体４２が所定の回転角度にあるときのみ、規制プレート６３の貫通孔１９を介して、補正ボリューム１７の操作部１７０と対向する。本実施形態では、一例として、指示線４２０が目盛り５の「ＯＦＦ」と対向する位置にあるときに（図２参照）、第２筒体４２が所定の回転角度にある。言い換えると、指示線４２０が目盛り５の「ＯＦＦ」と対向するように第２筒体４２を回すことで、操作孔１８と貫通孔１９と操作部１７０とが、第１筒体４１の軸方向に沿って一列に並ぶように配置される。要するに、指示線４２０が目盛り５の「ＯＦＦ」の位置にあるとき、第２作業者は、操作孔１８を通じて、第２作業を行うことができる。
【００５１】
指示線４２０が目盛り５の「ＯＦＦ」の位置以外の位置にあるとき、第２筒体４２が所定の回転角度以外の回転角度となるため、操作孔１８だけが、貫通孔１９及び操作部１７０が並ぶ上記一列から外れることになる。この場合、操作孔１８を覗いても、筐体４の内部空間が規制プレート６３によって遮られるため、意図せず工具の先端がボリューム基板６０近くまで挿入されてしまうという可能性を低減することができる。
【００５２】
第２作業が行われないときに、操作孔１８は、図６及び図７に示すように、例えばシリコーンゴム製のシール部材１６で塞がれていることが好ましい。この場合、第１作業を行う予定の第１作業者が、意図せず操作部１７０を操作してしまう可能性を更に低減することができる。また、埃等の異物が操作孔１８から筐体４内に侵入することを抑制することができる。
【００５３】
ところで、操作孔１８は、第２筒体４２の平坦な一表面４２Ｂに設けられている。そのため、例えば、操作孔１８が第２筒体４２の外周面４２Ａに設けられている場合と比べて、操作孔１８の周縁部分が破損してしまう可能性を低減することができ、また、埃等の異物の侵入を防ぐためのシール部材１６を安定的に取り付けることができる。また、第１筒体４１の軸方向に沿ってドライバ等の工具を操作孔１８へ挿入することができるため、作業性の向上を図ることができる。
【００５４】
第１筒体４１及び第２筒体４２の組み立てに関しては、調光ボリューム６のＤ字状の軸部６２をＤ字状の軸固定部４２２の穴に合わせつつ、４つの爪部４２１をそれぞれ中心軸Ａ１に向かって弾性変形させて第１筒体４１内へ挿入すればよい。軸部６２が軸固定部４２２の穴に挿入され、かつ、弾性変形した４つの爪部４２１がガイド溝４１３に到達することで弾性復帰してガイド溝４１３内に入り込む。その結果、第２筒体４２が第１筒体４１に取り付けられる。
【００５５】
（２．４）光学レンズ、反射部材及びバッフル
光学レンズ８は、出射口４１０付近において、光源２の配光を制御するように構成されている。光学レンズ８は、透光性を有し、図１に示すように略円板状に形成されている。光学レンズ８には、光源２からの直接光、及び反射部材９からの反射光が入射される。光学レンズ８の軸方向は、光軸Ｌ１と平行である。光学レンズ８は、例えば、アクリル樹脂、ポリカーボネート樹脂等の透明樹脂材料、又はガラス等の透明材料によって形成されている。光学レンズ８は、図１に示すように、一例としてフレネルレンズである。光学レンズ８は、反射部材９からの光を集光して効率良く出射する。
【００５６】
反射部材９は、図１に示すように、光源２から放射された光を、光学レンズ８に向けて反射させるように構成されている。反射部材９は、例えばＰＢＴ樹脂等の硬質の白色樹脂材料から形成されている。反射部材９の内側面には、アルミニウム等の金属膜が設けられてもよい。
【００５７】
反射部材９は、その軸方向における両端が開口した略円筒形状に形成されている。反射部材９の軸方向は、光軸Ｌ１と平行である。反射部材９は、光源２から放射された光が入射する第１端部（図１では後端部）と、光学レンズ８に向かって光が出射する第２端部（図１では前端部）と、を有している。光学レンズ８は、反射部材９の第２端部の周縁において第２端部を覆うように取り付けられている。
【００５８】
反射部材９は、第１端部から第２端部に向かって内径が漸次大きくなるように形成されている。要するに、第２端部の内径は、第１端部の内径よりも大きい。反射部材９は、上述のような構造を有することで、光源２から放射された光を光学レンズ８に向けて効率良く反射する。
【００５９】
バッフル１０は、図１に示すように、両端が開口した略円筒形状に形成されている。バッフル１０の軸方向は、光軸Ｌ１と平行である。バッフル１０は、例えば、ポリカーボネート又はＰＢＴ等の樹脂材料によって形成されている。バッフル１０の内側面（光軸Ｌ１側の面）は、黒色のグレア抑制面として形成されている。グレア抑制面は、例えば、バッフル１０の内側面を黒色に塗装して艶消し処理を施すことにより実現される。あるいは、グレア抑制面は、黒色に塗装した面、又は、黒色の部材からなる面に、シボ加工を施すことによって実現されてもよい。本実施形態のバッフル１０は、図１に示すように、その内側面に、グレアをさらに抑制するための複数の段部を有している。
【００６０】
（２．５）点灯装置
点灯装置３は、図３に示すように、例えば、整流回路３０と、電力変換回路３１と、制御回路３２と、定電流回路３３と、制御部３４と、を備えている。
【００６１】
整流回路３０は、ダイオードブリッジで構成されている。整流回路３０の交流入力端に交流電源７が電気的に接続されている。整流回路３０は、交流入力端に入力される交流電圧を全波整流し、整流後の脈流電圧（入力電圧Ｖ１）を脈流出力端から出力する。
【００６２】
電力変換回路３１は、例えば昇降圧チョッパとも呼ばれるバックブーストコンバータであって、整流回路３０の脈流出力端間から出力される入力電圧Ｖ１を昇圧又は降圧して所望の電圧（出力電圧Ｖ２）に変換するように構成されている。電力変換回路３１は、スイッチング素子、インダクタ、ダイオード及び平滑コンデンサ等を有している。
【００６３】
制御回路３２は、例えば、コンバータ用のドライバＩＣ（Integrated Circuit）で構成されている。電力変換回路３１のスイッチング素子は、制御回路３２によってＰＷＭ（Pulse Width Modulation）制御される。具体的には、制御回路３２は、目標値に一致させるように駆動信号のデューティ比を調整して、駆動信号を電力変換回路３１のスイッチング素子に出力する。制御回路３２は、制御部３４から制御回路３２を待機状態にするための指示信号を受け取ると、駆動信号のデューティ比を０［％］にすることでスイッチング素子を駆動させない（オフ状態に維持する）。スイッチング素子が駆動されなければ、平滑コンデンサの充電電荷が放電されるにつれて電力変換回路３１の出力電圧Ｖ２が低下する。
【００６４】
定電流回路３３は、光源２のＬＥＤチップに供給される負荷電流Ｉ１を定電流化するように構成されている。定電流回路３３は、負荷電流Ｉ１の大きさを検出して、負荷電流Ｉ１の大きさを目標値に一致させるように、その負荷電流Ｉ１が流れる電流経路に設けられたトランジスタ（例えば、エンハンスメント形のｎチャンネルＭＯＳＦＥＴ）を駆動する。
【００６５】
制御部３４は、例えば、マイクロコントローラで構成されている。制御部３４は、第２筒体４２の回転角度（回転位置）に応じて光源２の調光レベルを変更するように構成されている。回転角度は、第２筒体４２の指示線４２０が「ＯＦＦ」の位置にあるときを基準とした角度である。制御部３４は、調光ボリューム６の抵抗値に対応した電圧信号を受け取るための入力端子を有している。具体的には、図３に示すように、調光ボリューム６（可変抵抗器）及び補正ボリューム１７（可変抵抗器）から構成された直列回路の両端には定電圧Ｖｃｃが印加されていて、制御部３４は、入力端子において、調光ボリューム６で分圧された電圧を受け取る。
【００６６】
また、制御部３４は、駆動信号を定電流回路３３へ出力するための第１出力端子を有している。制御部３４は、調光ボリューム６の抵抗値に対応する調光レベルをデータとしてメモリ内に記憶している。制御部３４は、調光レベルが高くなるほどデューティ比が大きくなるＰＷＭ信号として駆動信号を生成し、定電流回路３３へ出力する。また、制御部３４は、制御回路３２へ待機状態にするための指示信号を出力するための第２出力端子を有している。
【００６７】
制御部３４は、入力端子に入力される電圧信号に対応した調光レベルが１００［％］から下限値（例えば、５［％］）までの範囲であれば、調光レベルに対応したデューティ比を有するＰＷＭ信号（駆動信号）を第１出力端子から出力する。つまり、第２筒体４２の指示線４２０が、調光レベルの目安値となる目盛り５において、５［％］に相当する目盛線から１００［％］に相当する目盛線の間に範囲にある場合に、駆動信号が第１出力端子から出力される。定電流回路３３は、負荷電流Ｉ１の検出電圧と、駆動信号（のデューティ比に対応した電圧）との差を小さくするようにトランジスタを駆動することで負荷電流Ｉ１を目標値に一致させる。
【００６８】
また、制御部３４は、入力端子に入力される電圧信号に対応した調光レベルが０［％］、すなわち第２筒体４２の指示線４２０が目盛り５の「ＯＦＦ」の位置に合わせられると、定電流回路３３を通じて負荷電流Ｉ１をゼロとし、光源２を消灯させる。さらに、制御部３４は、第２出力端子から制御回路３２に対して待機状態にするための指示信号を出力する。
【００６９】
ところで、例えば調光ボリューム６の劣化等に伴い、第２筒体４２の回転角度と光源２の調光レベルとの対応関係にずれが生じることがある。すなわち、製造時では第２筒体４２の指示線４２０を目盛り５の「ＯＦＦ」の位置に合わせることで光源２が正確に消灯していても、上記ずれが生じると、目盛り５の「ＯＦＦ」の位置に合わせても光源２が消灯しなくなることがある。同様に、指示線４２０を、例えば調光レベル５０［％］に相当する目盛線に合わせても光源２が調光レベル６０［％］で点灯してしまうことがある。そこで、制御部３４は、補正ボリューム１７の操作部１７０の調節位置（回転角度）に応じて第２筒体４２の回転角度と調光レベルとの対応関係を補正するように構成されている。
【００７０】
具体的には、制御部３４は、調光ボリューム６の抵抗値が例えば１０［Ω］以下に設定されたときに入力端子にて受け取る分圧された電圧と同じ値を、光源２を消灯させるか否か判定するための閾値としてメモリ内に記憶している。しかし、調光ボリューム６の劣化等により、第２筒体４２の指示線４２０を目盛り５の「ＯＦＦ」の位置に合わせても、調光ボリューム６の抵抗値が１０［Ω］以下に設定されずに、例えば１００［Ω］までしか下がらない場合がある。この場合、１００［Ω］の抵抗値に対応する分圧された電圧の値は、上記閾値よりも高いため、光源２が消灯されなくなる。ここで、第２作業者が操作部１７０を操作して補正ボリューム１７の抵抗値を高く設定すれば、たとえ調光ボリューム６の抵抗値が劣化等により上昇しても、制御部３４は、入力端子にて受け取る電圧の値を１０［Ω］と同等の値にまで下げることができる。
【００７１】
（２．６）アーム、プラグ及びワイヤー
アーム１１は、図１に示すように、第１筒体４１の軸方向と直交する軸Ｌ２を回転軸として第１筒体４１を回転可能に支持する。アーム１１は、例えばアルミダイカストによって形成されている。アーム１１は、細長い板状の一対の支持部と、一対の支持部の一端部同士を連結する角筒状の連結部１１１と、を有している。言い換えると、アーム１１は、全体として、略Ｕ字形状に形成されている。ここでは、一対の支持部のうちの一方（図１では左方）の支持部を「支持部１１０Ａ」と呼び、他方（図１では右方）の支持部を「支持部１１０Ｂ」と呼ぶ。
【００７２】
支持部１１０Ａ，１１０Ｂの各々は、その先端部分（図１の下端部分）において、互いに近づく方向に突出した突起を有している。これらの突起は、対応する取付部４３の貫通孔４３０内に回転可能に収容されている。連結部１１１及び支持部１１０Ａは、それらの内部において、プラグ１４に接続されている電線１５（図１参照）が通るための細長い導通孔を有している。電線１５は、連結部１１１及び支持部１１０Ａの導通孔を通って、取付部４３の貫通孔４３０から電源収容部４１２の内部に引き込まれ、点灯装置３の整流回路３０の交流入力端と電気的に接続されている。
【００７３】
一方、支持部１１０Ｂは、図２及び図８に示すように、その先端部分（図２の下端部分）につまみねじ１１２を有している。つまみねじ１１２は、段付きねじであり、ねじ先が対応する取付部４３の貫通孔４３０を通り、更に電源収容部４１２の内部にあるナットにねじ込まれている。
【００７４】
アーム１１は、上述のような構成を有していることで、アーム１１に対して筐体４を回転させることで、例えば鉛直方向に対する光源２の照射方向（光軸Ｌ１の方向）の角度を任意に変更することができる。
【００７５】
ところで、図８は、照明器具１の運搬時又は保管時における状態の平面図を示している。すなわち、第１筒体４１の中心軸Ａ１がアーム１１の支持部１１０Ａ，１１０Ｂの長手方向に沿うように筐体４をアーム１１に対して回転させることで、照明器具１の全体をコンパクトすることができる。言い換えれば、照明器具１をこのような状態へ変形できるように、第１筒体４１と第２筒体４２の外径は、支持部１１０Ａ，１１０Ｂ間の左右方向における距離よりも小さく設定されている。また、第２筒体４２が連結部１１１と接触しないように、支持部１１０Ａ，１１０Ｂの長手方向における寸法、及び軸Ｌ２から第２筒体４２までの寸法が設定されている。
【００７６】
プラグ１４は、図１に示すように、アーム１１の連結部１１１の上端面における左右方向の中央に取り付けられている。プラグ１４は、その上端において、外部に露出する一対の端子１４０を有している。プラグ１４が配線ダクト１３に取り付けられることで、端子１４０が交流電源７と電気的に接続されて、更に、点灯装置３が、プラグ１４及び電線１５を介して交流電源７と電気的に接続される。
【００７７】
落下防止用のワイヤー１２は、その一端に、例えば圧着端子を有している。ワイヤー１２は、圧着端子を介してアーム１１の連結部１１１にねじ止めされている。また、ワイヤー１２の他端には、ループ加工が施されていて、留め具のフックが引っ掛けられている。ワイヤー１２は、留め具を介して、配線ダクト１３に固定される。
【００７８】
（２．７）第１作業
以下、第１作業、すなわち光源２の調光状態の調節作業について、図２を参照しながら簡単に説明する。以下の説明では、配線ダクト１３に取り付けられた状態にある照明器具１の筐体４が、予めアーム１１に対して回転した状態、すなわち筐体４の軸方向が鉛直方向に対して傾斜していることを想定する。この時、目盛り５が設けられている第１領域Ｂ１が略鉛直下方向を向き、目盛り５が設けられていない第２領域Ｂ２が略鉛直上方向を向いた状態にあることを想定する。
【００７９】
まず、第１作業者は、照明器具１を下から見上げながら、「ＯＦＦ」の位置にある第２筒体４２の指示線４２０を確認する。すなわち、照明器具１の光源２は、図２の例では、消灯した状態にある。第１作業者は、図２に示すように、第２筒体４２の外周面４２Ａに、例えば人差し指の腹を当てて、第２筒体４２が第１筒体４１に対して時計回りに回転するように指を下方へ移動させる。指示線４２０が調光レベルの下限値である５［％］の目安値を示す、最初の目盛線に到達すると、光源２が光照射を開始する。そこから更に第２筒体４２を指の腹で回転させると、光源２の明るさが徐々に増加する。
【００８０】
例えば、この照明器具１の調光レベルを５０［％］に設定する場合には、第１作業者は、数値「５」の記されている目盛線に指示線４２０を合わせればよい。また、照明器具１の調光レベルを１００［％］（全点灯）に設定する場合には、数値「１０」の記されている目盛線に指示線４２０を合わせればよい。ただし、指示線４２０が数値「１０」の記されている目盛線に到達すると、第２筒体４２の突起片４２４がストッパー６６に接触するため、それ以上第２筒体４２が時計回りに回転出来ないように規制される。
【００８１】
このように、第１作業者は、第２筒体４２を指一本で（指の腹を当てて）操作可能であるため、第１作業を容易に行うことができる。
【００８２】
（２．８）第２作業
以下、第２作業、すなわち補正ボリューム１７の操作部１７０を回して上記対応関係に生じたずれを解消するための作業について、図９Ａ及び図９Ｂを参照しながら簡単に説明する。
【００８３】
図９Ａ及び図９Ｂは、筐体４をその軸方向に沿って後方から見た状態を示している。図９Ａでは、第２筒体４２が所定の回転角度以外の回転角度にあるため、操作孔１８だけが、貫通孔１９及び操作部１７０から外れた位置にある。図９Ａでは不図示であるが、この時、第２筒体４２の指示線４２０は、例えば、数値「１」の記されている目盛線と対向した位置にある。本実施形態では、指示線４２０が「ＯＦＦ」以外の位置であれば、操作孔１８は、貫通孔１９及び操作部１７０から外れた位置にある。
【００８４】
図９Ａの状態から、第２作業者は、第２筒体４２の外周面４２Ａに人差し指の腹を当てて、第２筒体４２を第１筒体４１に対して反時計回りに回転させる（図９Ａの矢印参照）。指示線４２０が「ＯＦＦ」の位置に到達すると、図９Ｂに示すように、操作孔１８が貫通孔１９及び操作部１７０と第１筒体４１の軸方向に沿って一列に並ぶため、操作部１７０が露出する。
【００８５】
ここで、もし上記対応関係にずれが生じていれば、たとえ指示線４２０が「ＯＦＦ」の位置に到達していても、光源２は、例えば５［％］程度の調光レベルの明るさで点灯し続ける。第２作業者は、ドライバ等の工具の先端を操作孔１８から挿入して、補正ボリューム１７の抵抗値が高くなるように、操作部１７０を時計回りに回せばよい。この時、第２作業者は、光源２が消灯するまで操作部１７０を回し続ける。光源２が消灯すれば、補正作業が完了となり、シール部材１６で操作孔１８を塞げばよい。
【００８６】
本実施形態では、指示線４２０が「ＯＦＦ」の位置にあるときに、操作孔１８、貫通孔１９及び操作部１７０が一列に並ぶように、これらの位置関係が規定されている。そのため、第２作業者は、照度計等を用いなくても、単に光源２が点灯状態から消灯状態に切り替わることを視認しながら、補正ボリューム１７を回せばよい。したがって、第２作業者は、第２作業を容易に行うことができる。
【００８７】
このように、本実施形態の照明器具１は、第２筒体４２が所定の回転角度となるように第２筒体４２を回転させて、ドライバ等の工具の先端を操作孔１８から挿入し、補正ボリューム１７の操作部１７０を回すことで上記対応関係を補正することができる。その結果、上記対応関係にずれが生じても当該ずれの解消を図ることができる。また、第１作業者が、第１作業を行う予定の時に、誤って操作部１７０を操作してしまう可能性を低減することができる。したがって、照明器具１は、第１作業を行う（調光レベルを調節する）際の作業性の向上と、調光レベルの調節精度の低下の抑制とを図ることができる。また、操作部１７０又は（操作部１７０を回すための）つまみが、筐体４の外周面４Ａから突出して設けられている場合に比べて、照明器具１全体としての意匠性（見栄え）の向上も図ることができる。
【００８８】
（３）変形例
以下に、変形例について、図１０Ａ〜１０Ｃを参照しながら説明する。以下では上述した実施形態を「基本例」と呼ぶ。また、基本例と同じ構成要素については、基本例と同じ参照符号を付して、それらの構成要素の説明を適宜に省略する。
【００８９】
図１０Ａ及び１０Ｂは、筐体４の要部を上から見た平面図を示している。また、図１０Ｃは、筐体４の要部を右から見た側面図を示している。ただし、図１０Ｃでは、説明の便宜上、筐体４内に収容されているボリューム基板６０、調光ボリューム６及び補正ボリューム１７Ａが想像線（点線）で図示されている。
【００９０】
基本例では、操作孔１８が第２筒体４２の一表面４２Ｂに設けられている。これに対して、本変形例は、図１０Ａ及び図１０Ｂに示すように、操作孔１８Ａが第２筒体４２の外周面４２Ａに設けられている点で、基本例と相違する。操作孔１８Ａは、外周面４２Ａの縁において、第１筒体４１から離れる向きに凹むように形成されている。操作孔１８Ａは、第２筒体４２の径方向から見たときに、略矩形状となっている。
【００９１】
また、本変形例の第１筒体４１は、図１０Ａ及び図１０Ｂに示すように、第２筒体４２と対向する第２端の縁において、補正ボリューム１７Ａの操作部１７０Ａと対向する部位に補助孔２０を有している。操作部１７０Ａと補助孔２０との相対的な位置関係は不変である。補助孔２０は、第２筒体４２から離れる向きに凹み、かつ、筐体４の内部空間と外部空間とを繋ぐように形成されている。補助孔２０は、第１筒体４１の径方向から見たときに、略矩形状となっている。周方向Ｄ１における補助孔２０の寸法は、周方向Ｄ１における操作孔１８Ａの寸法と略同じとなるように設定されている。
【００９２】
補正ボリューム１７Ａは、十字穴付きの操作部１７０Ａを有している。補正ボリューム１７Ａは、基本例と異なり、所謂垂直タイプの可変抵抗器である。すなわち、基本例の補正ボリューム１７の操作部１７０は、ボリューム基板６０の実装面と平行な面に設けられていたが、操作部１７０Ａは、ボリューム基板６０の実装面と垂直な面に設けられている（図１０Ｃ参照）。操作部１７０Ａは、第１筒体４１の径方向において、補助孔２０と対向するように配置されている。
【００９３】
図１０Ａでは、第２筒体４２の指示線４２０は、数値「１」の記されている目盛線と対向した位置にある。この時、基本例と同様に、第２筒体４２は、所定の回転角度以外の回転角度にある。また、この時、操作孔１８Ａは、第１筒体４１の軸方向に沿って補助孔２０と並ぶことなく、周方向Ｄ１にずれた位置にある。
【００９４】
本変形例では、操作孔１８Ａは、図１０Ｂに示すように、第２筒体４２の回転角度が所定の回転角度に等しい場合に、第１筒体４１の軸方向に沿って補助孔２０と繋がる。言い換えると、第２作業者は、補助孔２０の位置を目標として補助孔２０と操作孔１８Ａとが軸方向に沿って並ぶように第２筒体４２を回転させれば（図１０Ａの矢印参照）、操作孔１８Ａを通じて第２作業を行うことができる。したがって、第２作業者は、操作孔１８Ａを通じて筐体４内の操作部１７０Ａを直接目視できるように位置合わせするといった手間が省け、第２作業を容易に行うことができる。
【００９５】
本変形例においても、基本例と同様に、指示線４２０が「ＯＦＦ」の位置にあるとき、第２筒体４２が所定の回転角度となる。第２作業者は、指示線４２０が目盛り５の「ＯＦＦ」と対向するように第２筒体４２を回すことで、操作孔１８Ａと補助孔２０とが第１筒体４１の軸方向に沿って繋がるように配置させることができる。したがって、更に作業性の向上を図ることができる。また、基本例と同様に、第２作業者は、照度計等を用いなくても、単に光源２が点灯状態から消灯状態に切り替わることを視認しながら、補正ボリューム１７Ａを回せばよい。したがって、第２作業者は、第２作業を容易に行うことができる。
【００９６】
ところで、操作孔１８Ａ及び補助孔２０の各々の寸法がドライバ等の工具の先端の直径よりも小さくなるように、これらの寸法関係が規定されていることが好ましい。ただし、操作孔１８Ａと補助孔２０とが繋がることで形成された１つの孔２１（図１０Ｂ参照）の寸法が上記直径よりも僅かに大きくなるように、これらの寸法関係が規定されていることが好ましい。この場合、第２筒体４２が所定の回転角度以外の回転角度にあるにも関わらず、工具の先端が操作孔１８Ａ又は補助孔２０に挿入されてしまうという状況を減らすことができる。
【００９７】
（４）その他の変形例
以下に、上の欄「（３）変形例」で説明した変形例以外のいくつかの変形例について列記する。以下に説明するいくつかの変形例も、上述した基本例又は変形例と適宜組み合わせて適用可能である。
【００９８】
基本例では、指示線４２０が「ＯＦＦ」の位置にあるときに、第２筒体４２が所定の回転角度となり、操作孔１８、貫通孔１９及び操作部１７０が軸方向に沿って一列に並ぶように、これらの位置関係が規定されているが、この限りではない。例えば、指示線４２０が目盛り５の５［％］の調光レベルを示す目盛線から１００［％］の調光レベルを示す目盛線までのいずれかの位置で、第２筒体４２が所定の回転角度となるように、位置関係が規定されていてもよい。ただし、この場合、第２作業者は、照度計等を用いて第２作業を行うことが望ましい。
【００９９】
基本例では、目盛り５が筐体４の外周面４Ａに設けられているが、目盛り５は、照明器具１の必須の構成要素ではなく、設けられていなくてもよい。この場合において、上の欄「（２．８）第２作業」で説明したように、本来光源２が点灯状態から消灯状態に切り替わる第２筒体４２の回転位置で、第２作業を行えばよい。
【０１００】
基本例では、調光ボリューム６と補正ボリューム１７とは、直列に接続されているが、この限りではなく、並列に接続されていてもよい。この場合、調光ボリューム６と補正ボリューム１７とから構成された並列回路に固定抵抗器が直列に接続され、制御部３４は、入力端子にて上記並列回路の合成抵抗値に対応する分圧された電圧を受け取る。もし調光ボリューム６の抵抗値が劣化等により上昇して合成抵抗値が上昇しても、第２作業者が操作部１７０を操作して補正ボリューム１７の抵抗値を低く設定すれば、制御部３４は、入力端子にて受け取る電圧の値を下げることができる。
【０１０１】
基本例では、第２筒体４２の外径は、第１筒体４１の外径に等しく設定されているが、この限りではない。例えば、第２筒体４２の外径は、第１筒体４１の外径よりも大きく設定されていてもよい。この場合、図８に示すような照明器具１の運搬時又は保管時における状態を考慮すれば、第２筒体４２の外径は、アーム１１の支持部１１０Ａ，１１０Ｂ間の左右方向における距離よりも小さく設定されていることが好ましい。また、例えば、第２筒体４２の外径は、第１筒体４１の外径よりも小さく設定されていてもよい。この場合、第２筒体４２の外径が極端に小さくなってしまうと、径方向における目盛り５と指示線４２０との距離が大きくなってしまい、調光レベルを調節する際の作業性が低下してしまうため、例えば、光学レンズ８の直径よりも大きいことが好ましい。ただし、作業性及び筐体４の意匠性（見栄え）の両方を考慮すれば、基本例のように第２筒体４２の外径は、第１筒体４１の外径に等しく設定されていることが望ましい。
【０１０２】
（５）利点
以上説明したように、第１の態様に係る照明器具１は、光源２と、光源２の調光制御を行う制御部３４と、補正ボリューム（１７，１７Ａ）と、円筒形状の筐体４と、を備える。筐体４は、光源２、制御部３４及び補正ボリューム（１７，１７Ａ）を収容する。筐体４は、円筒形状の第１筒体４１と、円筒形状の第２筒体４２と、を有する。第１筒体４１は、その軸方向における第１端に光源２から発せられた光を出射する出射口４１０を有する。第２筒体４２は、第１筒体４１の第１端とは反対側の第２端において、第１筒体４１の中心軸Ａ１を回転軸として第１筒体４１に回転可能に取り付けられる。制御部３４は、第２筒体４２の回転角度に応じて光源２の調光レベルを変更し、更に、補正ボリューム（１７，１７Ａ）の操作部（１７０，１７０Ａ）の調節位置に応じて第２筒体４２の回転角度と調光レベルとの対応関係を補正する。第２筒体４２は、補正ボリューム（１７，１７Ａ）が収容されている筐体４の内部空間と筐体４の外部空間とを繋ぐ操作孔（１８，１８Ａ）を有する。第２筒体４２において操作孔（１８，１８Ａ）が設けられている部位は、第２筒体４２の回転角度が所定の回転角度に等しい場合に操作部（１７０，１７０Ａ）と対向する部位である。
【０１０３】
第１の態様によれば、第１作業を行う（調光レベルを調節する）際の作業性の向上と、調光レベルの調節精度の低下の抑制とを図ることができる。また、照明器具１全体としての意匠性（見栄え）の向上も図ることができる。
【０１０４】
第２の態様に係る照明器具１に関して、第１の態様において、操作孔１８は、上記軸方向と交差する第２筒体４２の一表面４２Ｂに設けられていることが好ましい。第２の態様によれば、例えば、操作孔１８が第２筒体４２の外周面４２Ａに設けられている場合と比べて、操作孔１８の周縁部分が破損してしまう可能性を低減することができる。
【０１０５】
第３の態様に係る照明器具１は、第２の態様において、上記内部空間において補正ボリューム１７と第２筒体４２との間に配置されて、第２筒体４２の回転範囲を規制する規制プレート６３を更に備えることが好ましい。規制プレート６３は、操作部１７０と対向する領域において、当該規制プレート６３の厚み方向に貫通する貫通孔１９を有することが好ましい。操作孔１８は、第２筒体４２の回転角度が上記所定の回転角度に等しい場合に、貫通孔１９及び操作部１７０と対向することが好ましい。
【０１０６】
第３の態様によれば、第２筒体４２の回転範囲を規制することができるため、例えば調光ボリューム６の回転可能な範囲の限界近くまで調光ボリューム６が回転されることが抑制される。したがって、調光ボリューム６の劣化の低減を図りながらも、ドライバ等の工具の先端を貫通孔１９及び操作部１７０を挿入し、操作部１７０を回すことができる。
【０１０７】
第４の態様に係る照明器具１に関して、第１の態様において、操作孔１８Ａは、第２筒体４２の外周面４２Ａに設けられていることが好ましい。第４の態様によれば、例えば、操作孔１８Ａが第２筒体４２の一表面４２Ｂに設けられている場合と比べて、第２作業者が操作孔１８Ａを容易に視認することができる。
【０１０８】
第５の態様に係る照明器具１に関して、第４の態様において、第１筒体４１は、第２端の縁において、操作部１７０Ａと対向する部位に補助孔２０を有することが好ましい。補助孔２０は、第２筒体４２から離れる向きに凹み、かつ、上記内部空間と上記外部空間とを繋ぐように形成されていることが好ましい。操作孔１８Ａは、外周面４２Ａの縁において、第１筒体４１から離れる向きに凹むことが好ましい。操作孔１８Ａは、第２筒体４２の回転角度が上記所定の回転角度に等しい場合に、上記軸方向に沿って補助孔２０と繋がることが好ましい。
【０１０９】
第５の態様によれば、第２作業者は、第２作業を行う際に、補助孔２０の位置を目標として補助孔２０と操作孔１８Ａとが軸方向に沿って並ぶように第２筒体４２を回転させることができる。したがって、作業性の向上を図ることができる。
【０１１０】
第６の態様に係る照明器具１に関して、第１の態様〜第５の態様のいずれか１つにおいて、筐体４の外周面４Ａには、調光レベルの目安値となる目盛り５が筐体４の外周面４Ａの周方向Ｄ１に沿って設けられていることが好ましい。第６の態様によれば、第１作業及び第２作業の作業性の向上を図ることができる。
【０１１１】
第７の態様に係る照明器具１に関して、第１の態様〜第６の態様のいずれか１つにおいて、第２筒体４２の外径は、第１筒体４１の外径に等しい、又は第１筒体４１の外径よりも大きいことが好ましい。第７の態様によれば、第２筒体４２に対する操作性の向上を図ることができる。特に、第２筒体４２の外径が第１筒体４１の外径に等しい場合、第１筒体４１及び第２筒体４２を一体感のある筐体４として提供することができ、照明器具１全体としての意匠性（見栄え）の向上も図ることができる。
【０１１２】
第８の態様に係る照明器具１は、第１の態様〜第６の態様のいずれか１つにおいて、出射口４１０に取り付けられて、光源２の配光を制御する光学レンズ８を更に備えることが好ましい。第２筒体４２の外径は、第１筒体４１の外径よりも小さく、かつ、光学レンズ８の直径よりも大きいことが好ましい。第８の態様によれば、光学レンズ８を通じて配光制御を行うことができ、更に、第２筒体４２に対する操作性の向上を図ることができる。
【符号の説明】
【０１１３】
１  照明器具
２  光源
３４  制御部
４  筐体
４Ａ  外周面
４１  第１筒体
４１０  出射口
４２  第２筒体
４２Ａ  外周面
４２Ｂ  一表面
５  目盛り
６３  規制プレート
８  光学レンズ
１７，１７Ａ  補正ボリューム
１７０，１７０Ａ  操作部
１８，１８Ａ  操作孔
１９  貫通孔
２０  補助孔
Ａ１  中心軸
Ｄ１  周方向
【図１】
2018206556.tif 000003
【図２】
2018206556.tif 000004
【図３】
2018206556.tif 000005
【図４】
2018206556.tif 000006
【図５】
2018206556.tif 000007
【図６】
2018206556.tif 000008
【図７】
2018206556.tif 000009
【図８】
2018206556.tif 000010
【図９】
2018206556.tif 000011
【図１０】
2018206556.tif 000012